(57)【要約】【課題】発光素子および集積回路の不具合を防ぐ。【解決手段】ＤＣ／ＤＣコンバータ（１３）の出力電圧（Ｖｏｕｔ）が所定値以上であることを検知するマイクロコンピュータ（１４２）と、マイクロコンピュータ（１４２）による検知に応じて、ＰＷＭ制御ＩＣ（１５）に対する電源供給を遮断するスイッチトランジスタ（１４４）とを備えている。【選択図】図１
2017011903.tif 000002
【特許請求の範囲】
【請求項１】
ＤＣ／ＤＣコンバータの出力電圧が所定値以上であることを検知する電圧検知部と、
上記電圧検知部による検知に応じて、上記ＤＣ／ＤＣコンバータに接続された少なくとも１つの発光素子を有する発光部を駆動する集積回路に対する電源供給を遮断する集積回路遮断部とを備えていることを特徴とする発光素子駆動制御回路。
【請求項２】
上記電圧検知部は、マイクロコンピュータによって構成されていることを特徴とする請求項１に記載の発光素子駆動制御回路。
【請求項３】
上記電圧検知部は、ツェナーダイオードを備えて構成されていることを特徴とする請求項１に記載の発光素子駆動制御回路。
【請求項４】
上記ＤＣ／ＤＣコンバータは、降圧型であることを特徴とする請求項１から３のいずれか１項に記載の発光素子駆動制御回路。
【請求項５】
上記ＤＣ／ＤＣコンバータは、昇圧型であることを特徴とする請求項１から３のいずれか１項に記載の発光素子駆動制御回路。
【請求項６】
請求項１から５のいずれか１項に記載の発光素子駆動制御回路を備えていることを特徴とする照明装置。
【請求項７】
請求項６に記載の照明装置を備えていることを特徴とするテレビジョン受像機。
【発明の詳細な説明】
【技術分野】
【０００１】
本発明は、少なくとも１つの発光素子の駆動を制御する発光素子駆動制御回路、この発光素子駆動制御回路を備えた照明装置、およびこの照明装置を備えたテレビジョン受像機に関する。
【背景技術】
【０００２】
近年、テレビジョン受像機等に搭載される照明装置として、少なくとも１つの発光素子を備えたものが知られている。この発光素子の一例として、ＬＥＤ（Light Emitting Diode：発光ダイオード）が挙げられる。この照明装置は、ＤＣ／ＤＣコンバータによる昇圧または降圧によって得られた電圧によって、この（これらの）発光素子を駆動することが主流となっている。このＤＣ／ＤＣコンバータの一例が、特許文献１に開示されている。
【０００３】
また、ＤＣ／ＤＣコンバータを用いた少なくとも１つの発光素子の駆動回路であって、過電流保護機能を有する駆動回路が、特許文献２に開示されている。特許文献２に開示されている駆動回路は、ＤＣ／ＤＣコンバータの出力電圧が所定のしきい値電圧を超えると、所定の保護処理を行うように構成されている。特許文献２に開示されている駆動回路は、この所定の保護処理として、ＤＣ／ＤＣコンバータに設けられたスイッチングトランジスタ（発振素子）のスイッチングならびに制御ＩＣ（Integrated Circuit：集積回路）に設けられた電流ドライバを停止する。
【先行技術文献】
【特許文献】
【０００４】
【特許文献１】特開２００２−８４７４２号公報（２００２年３月２２日公開）
【特許文献２】特開２０１４−２３０２９７号公報（２０１４年１２月８日公開）
【発明の概要】
【発明が解決しようとする課題】
【０００５】
ＤＣ／ＤＣコンバータが降圧型である場合、ＤＣ／ＤＣコンバータに設けられた発振素子が短絡する虞がある。また、ＤＣ／ＤＣコンバータが昇圧型である場合、この発振素子のフィードバック制御に不具合が生じる虞がある。そして、これらの虞に起因して、ＤＣ／ＤＣコンバータの出力電圧が想定より異常に高くなってしまう虞がある。この結果、少なくとも１つの発光素子に高電圧が印加されてしまい、この（これらの）発光素子に大電流が流れて、この（これらの）発光素子に不具合が生じる虞がある。またこの結果、この（これらの）発光素子を駆動するための集積回路に高電圧が印加されてしまい、この集積回路に不具合が生じる虞がある。
【０００６】
特許文献１は、ＤＣ／ＤＣコンバータの構成を開示しているに過ぎない。つまり、特許文献１に開示されている技術では、ＤＣ／ＤＣコンバータの出力電圧が印加される負荷に対して高電圧が印加されてしまうことについて、なんら想定されていない。
【０００７】
また、特許文献２に開示されている技術では、所定のしきい値電圧を超えたＤＣ／ＤＣコンバータの出力電圧（高電圧）が制御ＩＣに印加されてしまい、この制御ＩＣに不具合が生じる虞がある。また、特許文献２に開示されている技術では、制御ＩＣによる少なくとも１つの発光素子の駆動によって、所定のしきい値電圧を超えたＤＣ／ＤＣコンバータの出力電圧（高電圧）が印加されたこの（これらの）発光素子に大電流が流れて、この（これらの）発光素子に不具合が生じる虞がある。
【０００８】
このように、特許文献１および２に開示されている技術では、少なくとも１つの発光素子および集積回路に不具合が生じる虞があるという問題がある。
【０００９】
本発明は、上記の課題に鑑みて為されたものであり、その目的は、発光素子および集積回路の不具合を防ぐ発光素子駆動制御回路、この発光素子駆動制御回路を備えた照明装置、およびこの照明装置を備えたテレビジョン受像機を提供することにある。
【課題を解決するための手段】
【００１０】
上記の課題を解決するために、本発明の一態様に係る発光素子駆動制御回路は、ＤＣ／ＤＣコンバータの出力電圧が所定値以上であることを検知する電圧検知部と、上記電圧検知部による検知に応じて、上記ＤＣ／ＤＣコンバータに接続された少なくとも１つの発光素子を有する発光部を駆動する集積回路に対する電源供給を遮断する集積回路遮断部とを備えていることを特徴としている。
【発明の効果】
【００１１】
本発明の一態様によれば、発光素子および集積回路の不具合を防ぐことが可能となる。
【図面の簡単な説明】
【００１２】
【図１】本発明の実施の形態１に係る発光素子駆動制御回路を備えた照明装置の構成を示す回路図である。
【図２】ＰＷＭ（Pulse Width Modulation：パルス幅変調）制御ＩＣが出力する発光部の駆動信号の波形を示すタイミングチャートであり、（ａ）は高電圧検知前の波形を示しており、（ｂ）は高電圧検知後の波形を示している。
【図３】本発明の実施の形態２に係る発光素子駆動制御回路を備えた照明装置の構成を示す回路図である。
【図４】本発明の実施の形態３に係る発光素子駆動制御回路を備えた照明装置の構成を示す回路図である。
【図５】本発明の実施の形態４に係る発光素子駆動制御回路を備えた照明装置の構成を示す回路図である。
【図６】本発明に係るテレビジョン受像機の外観を示す正面図である。
【発明を実施するための形態】
【００１３】
本発明を実施するための形態について、図１〜図６を参照して説明する。なお、説明の便宜上、先に説明した部材と同じ機能を有する部材については、同じ符号を付記し、その説明を省略する。
【００１４】
〔実施の形態１〕
図１は、本実施の形態に係る発光素子駆動制御回路１４を備えた照明装置１００の構成を示す回路図である。照明装置１００は、入力部１１と、ＤＣ／ＤＣコンバータ制御部１２と、降圧型のＤＣ／ＤＣコンバータ１３と、発光素子駆動制御回路１４と、ＰＷＭ制御ＩＣ（集積回路）１５と、発光部１６とを備えている。
【００１５】
入力部１１は、照明装置１００に対する入力電圧Ｖｉｎが印加されるものである。入力電圧Ｖｉｎの値の一例として、６０Ｖが挙げられるが、入力電圧Ｖｉｎの値はこれに限定されるものではない。
【００１６】
ＤＣ／ＤＣコンバータ制御部１２は、センス抵抗Ｒｓと、ＤＣ／ＤＣコンバータ制御ＩＣ１２１とを有している。ＤＣ／ＤＣコンバータ１３は、入力コンデンサＣｉｎと、ＭＯＳＦＥＴ（Metal-Oxide Semiconductor Field Effect Transistor：金属酸化膜半導体電界効果トランジスタ）Ｑ１およびＱ２と、フリーホイールダイオードＤと、チョークコイルＬと、出力コンデンサＣｏｕｔとを有している。
【００１７】
センス抵抗Ｒｓの一端は入力部１１と接続されており、センス抵抗Ｒｓの他端はｎチャネル型のＭＯＳＦＥＴＱ１のドレインと接続されている。センス抵抗Ｒｓは、電流の値を電圧に変換するために挿入された抵抗であり、過電流状態をＤＣ／ＤＣコンバータ制御ＩＣ１２１によって検知するために設けられている。
【００１８】
入力コンデンサＣｉｎの一端はＭＯＳＦＥＴＱ１のドレインと接続されており、入力コンデンサＣｉｎの他端は接地されている。入力コンデンサＣｉｎは、ＭＯＳＦＥＴＱ１が非導通状態である期間に充電され、ＭＯＳＦＥＴＱ１が導通状態である期間に放電される。
【００１９】
ＤＣ／ＤＣコンバータ制御ＩＣ１２１は、スイッチング制御部１２２と、保護部１２３とを有している。
【００２０】
スイッチング制御部１２２は、ＭＯＳＦＥＴＱ１のゲートおよびソース、ならびにｎチャネル型のＭＯＳＦＥＴＱ２のゲートおよびドレインと接続されている。スイッチング制御部１２２は、ＭＯＳＦＥＴＱ１およびＱ２の導通および非導通を制御するものである。
【００２１】
また、スイッチング制御部１２２は、ＤＣ／ＤＣコンバータ１３の出力端１３ｏｕｔと接続されており、ＤＣ／ＤＣコンバータ１３の出力電圧Ｖｏｕｔを監視している。出力電圧Ｖｏｕｔが降下したとき、スイッチング制御部１２２は、ＭＯＳＦＥＴＱ１の導通時間を長くすることによって、出力電圧Ｖｏｕｔを上昇させる。一方、出力電圧Ｖｏｕｔが上昇したとき、スイッチング制御部１２２は、ＭＯＳＦＥＴＱ１の導通時間を短くすることによって、出力電圧Ｖｏｕｔを降下させる。
【００２２】
保護部１２３は、センス抵抗Ｒｓの両端、および入力コンデンサＣｉｎの両端と接続されている（ここでは、センス抵抗Ｒｓの他端への接続と、入力コンデンサＣｉｎの一端への接続とは共通となっている）。保護部１２３は、センス抵抗Ｒｓを流れる電流値、および入力コンデンサＣｉｎの両端の電位差のそれぞれに応じて、ＤＣ／ＤＣコンバータ１３の保護処理を実行させる。ＤＣ／ＤＣコンバータ１３の保護処理の一例として、スイッチング制御部１２２に停止信号を供給し、ＤＣ／ＤＣコンバータ１３による電圧の出力を停止させるように、ＭＯＳＦＥＴＱ１およびＱ２の導通および非導通を制御することが挙げられる。
【００２３】
ＭＯＳＦＥＴＱ１のソースは、チョークコイルＬの一端と接続されている。ＭＯＳＦＥＴＱ１は、ハイサイドトランジスタであり、入力コンデンサＣｉｎとチョークコイルＬとの間の、導通および非導通を制御する。ＭＯＳＦＥＴＱ１が導通状態となると、ＭＯＳＦＥＴＱ１が非導通状態である期間に入力コンデンサＣｉｎに蓄えられたエネルギーが、チョークコイルＬ、出力コンデンサＣｏｕｔ、および出力端１３ｏｕｔに供給される。ＭＯＳＦＥＴＱ１の導通および非導通を高速（数１００ｋＨｚ）で切り替えることによって、ＤＣ／ＤＣコンバータ１３が動作する。ＭＯＳＦＥＴＱ１の導通時間と非導通時間との比率であるデューティー比に応じて、チョークコイルＬ、出力コンデンサＣｏｕｔ、および出力端１３ｏｕｔに供給されるエネルギーの量が制御される。
【００２４】
チョークコイルＬの一端はフリーホイールダイオードＤのカソードと接続されており、チョークコイルＬの他端は出力コンデンサＣｏｕｔの一端と接続されている。チョークコイルＬは、ＭＯＳＦＥＴＱ１が導通状態である期間に磁気エネルギーを蓄え、ＭＯＳＦＥＴＱ１が非導通状態である期間に、この磁気エネルギーを放出することで出力コンデンサＣｏｕｔおよび出力端１３ｏｕｔに電流を流す。
【００２５】
フリーホイールダイオードＤのアノードは接地されている。このフリーホイールダイオードＤの一例として、ショットキーダイオードが挙げられる。
【００２６】
ＭＯＳＦＥＴＱ２のドレインはＭＯＳＦＥＴＱ１のソースと接続されており、ＭＯＳＦＥＴＱ２のソースは接地されている。ＭＯＳＦＥＴＱ２は、ローサイドトランジスタであり、フリーホイールダイオードＤの両端の導通および非導通を制御する。フリーホイールダイオードＤに順方向電流が流れる期間と同期してＭＯＳＦＥＴＱ２を導通させることによって、フリーホイールダイオードＤでの電圧降下を０にする。
【００２７】
なお、ＭＯＳＦＥＴＱ１とＭＯＳＦＥＴＱ２とが同時に導通状態となると、入力部１１とグランドとが短絡されてしまう。この短絡を避けるため、必ず、ＭＯＳＦＥＴＱ１とＭＯＳＦＥＴＱ２とが同時に非導通状態となっているタイミングにおいて、ＭＯＳＦＥＴＱ１とＭＯＳＦＥＴＱ２とのいずれかが非導通状態から導通状態に切り替えられる。
【００２８】
出力コンデンサＣｏｕｔの他端は接地されている。出力コンデンサＣｏｕｔは、出力電圧Ｖｏｕｔを平滑化するためのものである。出力コンデンサＣｏｕｔは、チョークコイルＬを流れる電流が出力端１３ｏｕｔに流れる電流より大きい期間に充電され、チョークコイルＬを流れる電流が出力端１３ｏｕｔに流れる電流より小さい期間に放電される。
【００２９】
出力電圧Ｖｏｕｔの値の一例として、２０Ｖが挙げられるが、出力電圧Ｖｏｕｔの値はこれに限定されるものではない。
【００３０】
発光素子駆動制御回路１４は、抵抗１４１と、マイクロコンピュータ（電圧検知部）１４２と、抵抗１４３と、スイッチトランジスタ（集積回路遮断部）１４４とを有している。
【００３１】
抵抗１４１の一端は出力端１３ｏｕｔと接続されている。抵抗１４１は、出力電圧Ｖｏｕｔを検出するために設けられている。
【００３２】
マイクロコンピュータ１４２は、抵抗１４１の他端と接続されていると共に、抵抗１４３を介してスイッチトランジスタ１４４のベースと接続されている。マイクロコンピュータ１４２は、抵抗１４１を用いて検出された出力電圧Ｖｏｕｔが所定値（例えば、３０Ｖもしくはそれ以上）以上であることを検知する。出力電圧Ｖｏｕｔが所定値以上であることを検知したとき、マイクロコンピュータ１４２は、出力電圧Ｖｏｕｔが高電圧である旨を示す信号を、抵抗１４３を介してスイッチトランジスタ１４４のベースに供給する。
【００３３】
スイッチトランジスタ１４４は例えば、ＮＰＮ型のバイポーラトランジスタである。スイッチトランジスタ１４４のコレクタは５Ｖの電源（図示しない）と接続されており、スイッチトランジスタ１４４のエミッタはＰＷＭ制御ＩＣ１５と接続されている。スイッチトランジスタ１４４は、この電源からＰＷＭ制御ＩＣ１５に対して５Ｖの電源供給を行うか、またはこの電源供給を遮断するかを切り替えるスイッチである。
【００３４】
すなわち、出力電圧Ｖｏｕｔが高電圧である旨を示す信号がマイクロコンピュータ１４２から供給されていないとき、スイッチトランジスタ１４４は導通状態となり、このとき、ＰＷＭ制御ＩＣ１５に対して電源供給が行われる。一方、出力電圧Ｖｏｕｔが高電圧である旨を示す信号がマイクロコンピュータ１４２から供給されているとき、スイッチトランジスタ１４４は非導通状態となり、このとき、ＰＷＭ制御ＩＣ１５に対する電源供給は遮断される。
【００３５】
なお、言うまでも無いが、上述した電源の出力電圧の値、およびＰＷＭ制御ＩＣ１５の電源電圧は、５Ｖに限定されるものではなく、ＰＷＭ制御ＩＣ１５の仕様に応じて適切な電圧値とすることができる。
【００３６】
ＰＷＭ制御ＩＣ１５は、上述した電源供給によって動作するものであり、発光部１６を駆動する機能を有している。ＰＷＭ制御ＩＣ１５による発光部１６の駆動についての詳細な説明は後述する。
【００３７】
発光部１６は、互いに並列に接続されたＮ個の発光単位１６＿１〜１６＿Ｎからなる。Ｎ個の発光単位１６＿１〜１６＿Ｎはそれぞれ、複数（少なくとも１つ）のＬＥＤ（発光素子）１６１の直列回路と、ｎチャネル型のトランジスタ１６２と、抵抗１６３および１６４とを有している。
【００３８】
Ｎ個の発光単位１６＿１〜１６＿Ｎはそれぞれ、以下の構成を有している。すなわち、複数のＬＥＤ１６１の直列回路のアノード側端部は、出力端１３ｏｕｔと接続されている。同直列回路のカソード側端部は、トランジスタ１６２のドレインと接続されている。トランジスタ１６２のソースは接地されている。抵抗１６３の一端はトランジスタ１６２のゲートと接続されており、抵抗１６３の他端は接地されている。抵抗１６４の一端はトランジスタ１６２のゲートと接続されており、抵抗１６４の他端はＰＷＭ制御ＩＣ１５と接続されている。
【００３９】
ここからは、ＰＷＭ制御ＩＣ１５による発光部１６の駆動について、図２の（ａ）および（ｂ）を参照して詳細に説明する。図２の（ａ）および（ｂ）は、ＰＷＭ制御ＩＣ１５が出力する発光部１６の駆動信号の波形を示すタイミングチャートである。図２の（ａ）は、出力電圧Ｖｏｕｔが高電圧であることをマイクロコンピュータ１４２が検知する前の波形を示しており、図２の（ｂ）は、出力電圧Ｖｏｕｔが高電圧であることをマイクロコンピュータ１４２が検知した後の波形を示している。
【００４０】
出力電圧Ｖｏｕｔが高電圧（すなわち、所定値以上）であることをマイクロコンピュータ１４２が検知する前、ＰＷＭ制御ＩＣ１５に対して電源供給が行われている。このとき、図２の（ａ）に示すとおり、ＰＷＭ制御ＩＣ１５は、Ｎ個の発光単位１６＿１〜１６＿Ｎのそれぞれに対してＰＷＭ信号を供給している。発光単位１６＿ｍ（ｍは１からＮのいずれか）は、発光単位１６＿ｍに供給されたＰＷＭ信号がハイレベルである期間において、発光単位１６＿ｍが有している全てのＬＥＤ１６１を点灯させ、同ＰＷＭ信号がローレベルである期間において、発光単位１６＿ｍが有している全てのＬＥＤ１６１を消灯させる。
【００４１】
一方、出力電圧Ｖｏｕｔが高電圧であることをマイクロコンピュータ１４２が検知した後、ＰＷＭ制御ＩＣ１５に対する電源供給は遮断される。このとき、図２の（ｂ）に示すとおり、ＰＷＭ制御ＩＣ１５は停止し、Ｎ個の発光単位１６＿１〜１６＿Ｎに対するＰＷＭ信号の供給が停止される（信号はローレベルに固定される）。
【００４２】
発光素子駆動制御回路１４を備えた照明装置１００では、高電圧の出力電圧ＶｏｕｔがＰＷＭ制御ＩＣ１５に印加されることを防ぐことができるので、ＰＷＭ制御ＩＣ１５の不具合を防ぐことができる。また、発光素子駆動制御回路１４を備えた照明装置１００では、高電圧の出力電圧Ｖｏｕｔの出力時に、ＰＷＭ制御ＩＣ１５に対する電源供給を遮断してＰＷＭ制御ＩＣ１５を停止させることによって、発光部１６を構成する各ＬＥＤ１６１に大電流が流れることを防ぐことができるので、これらのＬＥＤ１６１の不具合を防ぐことができる。
【００４３】
なお、発光部１６は、発光単位１６＿１〜１６＿Ｎのうち、少なくとも１つを有していればよい。また、１つの発光単位１６＿ｍに含まれるＬＥＤ１６１の個数は、少なくとも１つであればよい。従って、発光部１６は、１つのＬＥＤ１６１を備えている構成であってもよいし、複数のＬＥＤ１６１を備えている構成であってもよい。
【００４４】
〔実施の形態２〕
図３は、本実施の形態に係る発光素子駆動制御回路２４を備えた照明装置１０１の構成を示す回路図である。照明装置１０１は、入力部１１と、ＤＣ／ＤＣコンバータ制御部１２と、降圧型のＤＣ／ＤＣコンバータ１３と、発光素子駆動制御回路２４と、ＰＷＭ制御ＩＣ１５と、発光部１６とを備えている。
【００４５】
発光素子駆動制御回路２４は、抵抗１４１と、ツェナーダイオード（電圧検知部）２４１と、抵抗２４２および２４３と、トランジスタ２４４と、抵抗２４５および２４６と、トランジスタ２４７と、抵抗２４８および２４９と、トランジスタ２５０とを有している。抵抗２４２および２４３と、トランジスタ２４４と、抵抗２４５および２４６と、トランジスタ２４７と、抵抗２４８および２４９と、トランジスタ２５０とで、集積回路遮断部を構成している。
【００４６】
ツェナーダイオード２４１のカソードは抵抗１４１の他端と接続されており、ツェナーダイオード２４１のアノードは抵抗２４２の一端と接続されている。抵抗２４２の他端は抵抗２４３の一端と接続されている。抵抗２４３の他端は接地されている。
【００４７】
トランジスタ２４４は例えば、ＮＰＮ型のバイポーラトランジスタである。トランジスタ２４４のベースは抵抗２４２の他端と抵抗２４３の一端との間に接続されており、トランジスタ２４４のコレクタは抵抗２４５の一端と抵抗２４６の一端との間に接続されており、トランジスタ２４４のエミッタは接地されている。抵抗２４５の他端は５Ｖの電源ラインと接続されている。抵抗２４６の他端は接地されている。
【００４８】
トランジスタ２４７は例えば、ＮＰＮ型のバイポーラトランジスタである。トランジスタ２４７のベースは抵抗２４５の一端と抵抗２４６の一端との間に接続されており、トランジスタ２４７のコレクタは抵抗２４８の一端と接続されており、トランジスタ２４７のエミッタは接地されている。抵抗２４８の他端は抵抗２４９の一端と接続されている。抵抗２４９の他端は５Ｖの電源ラインと接続されている。
【００４９】
トランジスタ２５０は例えば、ＮＰＮ型のバイポーラトランジスタである。トランジスタ２５０のベースは抵抗２４８の他端と接続されており、トランジスタ２５０のコレクタは５Ｖの電源ラインと接続されており、トランジスタ２５０のエミッタはＰＷＭ制御ＩＣ１５と接続されている。
【００５０】
ツェナーダイオード２４１は、抵抗１４１を用いて検出された出力電圧Ｖｏｕｔが所定値（例えば、３０Ｖもしくはそれ以上）以上であることを検知する。すなわち、出力電圧Ｖｏｕｔが所定値未満であるとき、ツェナーダイオード２４１に電流が流れず、出力電圧Ｖｏｕｔが所定値以上であるとき、ツェナーダイオード２４１に電流が流れる。このことが、ツェナーダイオード２４１による検知に相当する。
【００５１】
抵抗２４２および２４３と、トランジスタ２４４と、抵抗２４５および２４６と、トランジスタ２４７と、抵抗２４８および２４９と、トランジスタ２５０とは、スイッチトランジスタ１４４（図１参照）と同等の機能を有している。
【００５２】
ツェナーダイオード２４１に電流が流れない場合、通常の電源回路としての動作により、ＰＷＭ制御ＩＣ１５に対して５Ｖの電源電圧が供給される。一方、ツェナーダイオード２４１に電流が流れる場合、保護動作により最終的にＰＷＭ制御ＩＣ１５に電源供給するトランジスタ２５０のベース電圧が遮断されることでトランジスタ２５０のスイッチング動作が非導通状態となり、ＰＷＭ制御ＩＣ１５に対する電源供給が遮断される。
【００５３】
このように、マイクロコンピュータ１４２（図１参照）の替わりに、ツェナーダイオード２４１を用いて、出力電圧Ｖｏｕｔが所定値以上であることを検知してもよい。
【００５４】
〔実施の形態３〕
図４は、本実施の形態に係る発光素子駆動制御回路３４を備えた照明装置１０２の構成を示す回路図である。照明装置１０２は、入力部３１と、ＤＣ／ＤＣコンバータ制御部３２と、昇圧型のＤＣ／ＤＣコンバータ３３と、発光素子駆動制御回路３４と、ＰＷＭ制御ＩＣ１５と、発光部１６とを備えている。
【００５５】
入力部３１は、照明装置１０２に対する入力電圧Ｖｉｎａが印加されるものである。入力電圧Ｖｉｎａの値の一例として、１２Ｖが挙げられるが、入力電圧Ｖｉｎａの値はこれに限定されるものではない。
【００５６】
ＤＣ／ＤＣコンバータ制御部３２は、ＤＣ／ＤＣコンバータ制御ＩＣ３２１と、抵抗ＲａおよびＲｂとを有している。ＤＣ／ＤＣコンバータ３３は、入力コンデンサＣａと、インダクタＬａと、ＭＯＳＦＥＴＱａと、抵抗Ｒｃと、ダイオードＤａと、出力コンデンサＣｂとを有している。
【００５７】
抵抗Ｒａの一端はＤＣ／ＤＣコンバータ３３の出力端３３ｏｕｔと接続されている。抵抗Ｒａの他端は抵抗Ｒｂの一端と接続されている。抵抗Ｒｂの他端は接地されている。また、ＤＣ／ＤＣコンバータ制御ＩＣ３２１は、抵抗Ｒａの他端と抵抗Ｒｂの一端との間に接続されていると共に、抵抗Ｒｃを介してｎチャネル型のＭＯＳＦＥＴＱａのゲートと接続されている。
【００５８】
抵抗ＲａおよびＲｂは、ＤＣ／ＤＣコンバータ３３の出力電圧Ｖｏｕｔａを分圧することで電圧Ｖｏｕｔａ´を生成し、この電圧Ｖｏｕｔａ´をＤＣ／ＤＣコンバータ制御ＩＣ３２１に印加する。
【００５９】
ＤＣ／ＤＣコンバータ制御ＩＣ３２１は、電圧Ｖｏｕｔａ´の値に応じて、ＭＯＳＦＥＴＱａの導通および非導通を制御するものである。電圧Ｖｏｕｔａ´が降下したとき、ＤＣ／ＤＣコンバータ制御ＩＣ３２１は、ＭＯＳＦＥＴＱａの導通時間を長くすることによって、出力電圧Ｖｏｕｔａを上昇させる。一方、電圧Ｖｏｕｔａ´が上昇したとき、ＤＣ／ＤＣコンバータ制御ＩＣ３２１は、ＭＯＳＦＥＴＱａの導通時間を短くすることによって、出力電圧Ｖｏｕｔａを降下させる。
【００６０】
入力コンデンサＣａの一端は入力部３１およびインダクタＬａの一端と接続されており、入力コンデンサＣａの他端は接地されている。インダクタＬａの他端はＭＯＳＦＥＴＱａのドレインと接続されている。ＭＯＳＦＥＴＱａのドレインはダイオードＤａのアノードと接続されており、ＭＯＳＦＥＴＱａのソースは接地されている。ダイオードＤａのカソードは出力コンデンサＣｂの一端と接続されている。出力コンデンサＣｂの他端は接地されている。
【００６１】
ＤＣ／ＤＣコンバータ３３は、周知の回路であるため、ＤＣ／ＤＣコンバータ３３を構成する各部品の動作メカニズムの詳細な説明については省略する。出力電圧Ｖｏｕｔａの値の一例として、２０Ｖが挙げられるが、出力電圧Ｖｏｕｔａの値はこれに限定されるものではない。
【００６２】
発光素子駆動制御回路３４は、マイクロコンピュータ１４２と、抵抗３４１および３４２と、トランジスタ３４３と、抵抗３４４および３４５と、トランジスタ３４６と、抵抗３４７および３４８と、トランジスタ３４９とを有している。抵抗３４１および３４２と、トランジスタ３４３と、抵抗３４４および３４５と、トランジスタ３４６と、抵抗３４７および３４８と、トランジスタ３４９とで、集積回路遮断部を構成している。
【００６３】
マイクロコンピュータ１４２は、出力端３３ｏｕｔと接続されていると共に、抵抗３４１の一端と接続されている。マイクロコンピュータ１４２は、出力電圧Ｖｏｕｔａが所定値（例えば、３０Ｖもしくはそれ以上）以上であることを検知する。出力電圧Ｖｏｕｔａが所定値以上であることを検知したとき、マイクロコンピュータ１４２は、出力電圧Ｖｏｕｔａが高電圧である旨を示す信号を出力する。抵抗３４１の他端は抵抗３４２の一端と接続されている。抵抗３４２の他端は接地されている。
【００６４】
トランジスタ３４３は例えば、ＮＰＮ型のバイポーラトランジスタである。トランジスタ３４３のベースは抵抗３４１の他端と抵抗３４２の一端との間に接続されており、トランジスタ３４３のコレクタは抵抗３４４の一端および抵抗３４５の一端と接続されており、トランジスタ３４３のエミッタは接地されている。抵抗３４４の他端は５Ｖの電源ラインと接続されている。抵抗３４５の他端は接地されている。
【００６５】
トランジスタ３４６は例えば、ＮＰＮ型のバイポーラトランジスタである。トランジスタ３４６のベースは抵抗３４４の一端と抵抗３４５の一端との間に接続されており、トランジスタ３４６のコレクタは抵抗３４７の一端と接続されており、トランジスタ３４６のエミッタは接地されている。抵抗３４７の他端は抵抗３４８の一端と接続されている。抵抗３４８の他端は５Ｖの電源ラインと接続されている。
【００６６】
トランジスタ３４９は例えば、ＰＮＰ型のバイポーラトランジスタである。トランジスタ３４９のベースは抵抗３４７の他端と抵抗３４８の一端との間に接続されており、トランジスタ３４９のコレクタはＰＷＭ制御ＩＣ１５と接続されており、トランジスタ３４９のエミッタは５Ｖの電源ラインと接続されている。
【００６７】
出力電圧Ｖｏｕｔａが高電圧である旨を示す信号がマイクロコンピュータ１４２から出力されていないとき、通常の電源回路としての動作により、ＰＷＭ制御ＩＣ１５に対して５Ｖの電源供給が行われる。一方、出力電圧Ｖｏｕｔａが高電圧である旨を示す信号がマイクロコンピュータ１４２から出力されているとき、保護動作により最終的にＰＷＭ制御ＩＣ１５に電源供給するトランジスタ３４９のベース電圧が遮断されることでトランジスタ３４９のスイッチング動作が非導通状態となり、ＰＷＭ制御ＩＣ１５に対する電源供給は遮断される。
【００６８】
出力電圧Ｖｏｕｔａが高電圧（すなわち、所定値以上）であることをマイクロコンピュータ１４２が検知する前、ＰＷＭ制御ＩＣ１５に対して電源供給が行われている（図２の（ａ）参照）。一方、出力電圧Ｖｏｕｔａが高電圧であることをマイクロコンピュータ１４２が検知した後、ＰＷＭ制御ＩＣ１５に対する電源供給は遮断される（図２の（ｂ）参照）。
【００６９】
このように、降圧型のＤＣ／ＤＣコンバータ１３（図１参照）の替わりに、昇圧型のＤＣ／ＤＣコンバータ３３を用いてもよい。すなわち、本発明に係るＤＣ／ＤＣコンバータは、降圧型であってもよいし、昇圧型であってもよい。
【００７０】
〔実施の形態４〕
図５は、本実施の形態に係る発光素子駆動制御回路４４を備えた照明装置１０３の構成を示す回路図である。照明装置１０３は、入力部３１と、ＤＣ／ＤＣコンバータ制御部３２と、昇圧型のＤＣ／ＤＣコンバータ３３と、発光素子駆動制御回路４４と、ＰＷＭ制御ＩＣ１５と、発光部１６とを備えている。
【００７１】
発光素子駆動制御回路４４は、ツェナーダイオード２４１と、抵抗４４１と、ダイオード４４２と、抵抗３４１および３４２と、トランジスタ３４３と、抵抗３４４および３４５と、トランジスタ３４６と、抵抗３４７および３４８と、トランジスタ３４９とを有している。ツェナーダイオード２４１と、抵抗４４１と、ダイオード４４２との直列回路は、電圧検知部を構成している。
【００７２】
ツェナーダイオード２４１のカソードは出力端３３ｏｕｔと接続されており、ツェナーダイオード２４１のアノードは抵抗４４１の一端と接続されている。抵抗４４１の他端はダイオード４４２のアノードと接続されている。ダイオード４４２のカソードは抵抗３４１の一端と接続されている。
【００７３】
ツェナーダイオード２４１は、出力電圧Ｖｏｕｔａが所定値（例えば、３０Ｖもしくはそれ以上）以上であることを検知する。すなわち、出力電圧Ｖｏｕｔａが所定値未満であるとき、ツェナーダイオード２４１に電流が流れず、出力電圧Ｖｏｕｔａが所定値以上であるとき、ツェナーダイオード２４１に電流が流れる。このことが、ツェナーダイオード２４１による検知に相当する。
【００７４】
ツェナーダイオード２４１に電流が流れない場合、通常の電源回路としての動作により、ＰＷＭ制御ＩＣ１５に対して５Ｖの電源電圧が供給される。一方、ツェナーダイオード２４１に電流が流れる場合、保護動作により最終的にＰＷＭ制御ＩＣ１５に電源供給するトランジスタ３４９のベース電圧が遮断されることでトランジスタ３４９のスイッチング動作が非導通状態となり、ＰＷＭ制御ＩＣ１５に対する電源供給が遮断される。
【００７５】
〔テレビジョン受像機〕
図６は、テレビジョン受像機１０４の外観を示す正面図である。図示はしていないが、テレビジョン受像機１０４が、図１に示した照明装置１００、図３に示した照明装置１０１、図４に示した照明装置１０２、および図５に示した照明装置１０３のいずれかを備えている。これにより、テレビジョン受像機１０４は、テレビジョン受像機１０４が備えている照明装置１００〜１０３のいずれかと同様の効果を奏する。
【００７６】
〔まとめ〕
本発明の態様１に係る発光素子駆動制御回路は、ＤＣ／ＤＣコンバータの出力電圧が所定値以上であることを検知する電圧検知部（マイクロコンピュータ１４２、ツェナーダイオード２４１他）と、上記電圧検知部による検知に応じて、上記ＤＣ／ＤＣコンバータに接続された少なくとも１つの発光素子（ＬＥＤ１６１）を有する発光部を駆動する集積回路（ＰＷＭ制御ＩＣ１５）に対する電源供給を遮断する集積回路遮断部（スイッチトランジスタ１４４他）とを備えている。
【００７７】
上記の構成によれば、高電圧の出力電圧が集積回路に印加されることを防ぐことができるので、集積回路の不具合を防ぐことができる。また、上記の構成によれば、高電圧の出力電圧の出力時に、集積回路に対する電源供給を遮断して集積回路を停止させることによって、発光部を構成する少なくとも１つの発光素子に大電流が流れることを防ぐことができるので、この（これらの）発光素子の不具合を防ぐことができる。
【００７８】
本発明の態様２に係る発光素子駆動制御回路は、上記態様１において、上記電圧検知部は、マイクロコンピュータによって構成されていることが好ましい。
【００７９】
本発明の態様３に係る発光素子駆動制御回路は、上記態様１において、上記電圧検知部は、ツェナーダイオードを備えて構成されていることが好ましい。
【００８０】
上記の各構成によれば、マイクロコンピュータまたはツェナーダイオードを用いて、電圧検知部を容易に構成することができる。
【００８１】
本発明の態様４に係る発光素子駆動制御回路は、上記態様１から３のいずれかにおいて、上記ＤＣ／ＤＣコンバータは、降圧型である。
【００８２】
本発明の態様５に係る発光素子駆動制御回路は、上記態様１から３のいずれかにおいて、上記ＤＣ／ＤＣコンバータは、昇圧型である。
【００８３】
すなわち、本発明に係るＤＣ／ＤＣコンバータは、降圧型であってもよいし、昇圧型であってもよい。いずれのＤＣ／ＤＣコンバータにおいても、出力電圧が想定より異常に高くなってしまう虞があるので、上記の各構成によれば、この虞に起因する、少なくとも１つの発光素子および集積回路の不具合を防ぐことが可能となる。
【００８４】
本発明の態様６に係る照明装置は、上記態様１から５のいずれかの発光素子駆動制御回路を備えている。
【００８５】
本発明の態様７に係るテレビジョン受像機は、上記態様６の照明装置を備えている。
【００８６】
上記の各構成によれば、照明装置およびテレビジョン受像機においても、発光素子駆動制御回路と同様の効果を得ることができる。
【００８７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８８】
１３  ＤＣ／ＤＣコンバータ
１４  発光素子駆動制御回路
１５  ＰＷＭ制御ＩＣ（集積回路）
１６  発光部
２４  発光素子駆動制御回路
３３  ＤＣ／ＤＣコンバータ
３４  発光素子駆動制御回路
４４  発光素子駆動制御回路
１００〜１０３  照明装置
１０４  テレビジョン受像機
１４２  マイクロコンピュータ（電圧検知部）
１４４  スイッチトランジスタ（集積回路遮断部）
１６１  ＬＥＤ（発光素子）
２４１  ツェナーダイオード（電圧検知部）
４４１  抵抗（電圧検知部）
４４２  ダイオード（電圧検知部）
Ｖｏｕｔ  ＤＣ／ＤＣコンバータの出力電圧
Ｖｏｕｔａ  ＤＣ／ＤＣコンバータの出力電圧
【図１】
2017011903.tif 000003
【図２】
2017011903.tif 000004
【図３】
2017011903.tif 000005
【図４】
2017011903.tif 000006
【図５】
2017011903.tif 000007
【図６】
2017011903.tif 000008